(57)【要約】【課題】２次転写ローラの清掃性能を向上させた画像形成装置及び画像形成装置の２次転写ローラ清掃方法を提供する。【解決手段】２次転写ローラ１１が印字動作中は第１の回転方向Ａｒ１に回転し、印字動作停止中に第１の回転方向Ａｒ１とは逆向きの第２の回転方向Ａｒ２に所定範囲内だけ回転する。画像形成装置が潤滑剤供給部１３を備えている場合、２次転写ローラ１１は、２次転写ローラ１１と清掃部材１４の接触面の移動量が３ｍｍ以上、２次転写ローラ１１の潤滑剤供給部１３との接触部から第２の回転方向Ａｒ２に清掃部材１４との接触部までの接触面上の距離Ｌ以下の範囲内で第２の回転方向Ａｒ２に回転する。【選択図】図１
2009069825.tif 000002
【特許請求の範囲】
【請求項１】
記録媒体を１枚ずつ供給する記録媒体供給機構と、
前記記録媒体供給機構により供給された記録媒体を記録媒体排出部まで搬送する記録媒体搬送機構と、
前記記録媒体搬送機構の前記記録媒体排出部より上流側に配置され、画像データに基づく画像を前記記録媒体搬送機構によって搬送される記録媒体に印刷する画像形成プロセスを実行する画像形成部と、
前記画像形成部の従動ローラに当接して設けられ、印字動作中は第１の回転方向に回転し、印字動作停止中に第１の回転方向とは逆向きの第２の回転方向に所定範囲内だけ回転する２次転写ローラと、
前記２次転写ローラの表面に潤滑剤を供給する潤滑剤供給部と、
前記２次転写ローラの表面に接触する板状の清掃部材と、
を備えることを特徴とする画像形成装置。
【請求項２】
前記２次転写ローラの前記第１の回転方向に、前記清掃部材の前記２次転写ローラとの接触部、前記潤滑材供給部、前記従動ローラと前記２次転写ローラとの当接部の順になるように前記潤滑剤供給部が配置されていることを特徴とする請求項１記載の画像形成装置。
【請求項３】
前記２次転写ローラが、前記２次転写ローラと前記清掃部材の接触面の移動量が３ｍｍ以上、前記２次転写ローラの前記潤滑剤供給部との接触部から前記第２の回転方向に前記清掃部材との接触部までの接触面上の距離以下の範囲内で前記第２の回転方向に回転することを特徴とする請求項１記載の画像形成装置。
【請求項４】
記録媒体を１枚ずつ供給する記録媒体供給機構と、
前記記録媒体供給機構により供給された記録媒体を記録媒体排出部まで搬送する記録媒体搬送機構と、
前記記録媒体搬送機構の前記記録媒体排出部より上流側に配置され、画像データに基づく画像を前記記録媒体搬送機構によって搬送される記録媒体に印刷する画像形成プロセスを実行する画像形成部と、
前記画像形成部の従動ローラに当接して設けられ、印字動作中は第１の回転方向に回転し、印字動作中ではないときに第１の回転方向とは逆向きの第２の回転方向に回転する２次転写ローラと、
前記２次転写ローラの表面に、前記第１の回転方向が時計回りであるとき、側面から見たとき前記２次転写ローラの回転軸を通る重力方向の鉛直線の右側部分で、前記第２の回転方向手前側の前記２次転写ローラ表面と鋭角をなして接触する板状の清掃部材と、
を備えることを特徴とする画像形成装置。
【請求項５】
画像データに基づいて生成された画像を印刷する画像形成装置の２次転写ローラの清掃方法であって、
前記２次転写ローラが印字動作中に第１の回転方向に回転し、
潤滑剤を供給する潤滑剤供給部が前記２次転写ローラに潤滑剤を供給し、
板状の清掃部材が前記２次転写ローラに付着した現像剤を掻き取り、
印字動作停止中に第１の回転方向とは逆向きの第２の回転方向に所定範囲内だけ、前記２次転写ローラが回転する
ことを特徴とする画像形成装置の２次転写ローラ清掃方法。
【請求項６】
前記２次転写ローラの前記第１の回転方向に、前記清掃部材の前記２次転写ローラとの接触部、前記潤滑材供給部、前記従動ローラと前記２次転写ローラとの当接部の順になるように前記潤滑剤供給部が配置され、前記第１の回転方向が時計回りであるとき、
前記清掃部材が側面から見たとき前記２次転写ローラの回転軸を通る重力方向の鉛直線の右側部分で前記２次転写ローラと接触し、
前記２次転写ローラと前記清掃部材の接触面の移動量が３ｍｍ以上、前記２次転写ローラの前記潤滑剤供給部との接触部から反時計回りである前記第２の回転方向に前記清掃部材との接触部までの接触面上の距離以下の範囲内で、前記２次転写ローラが前記第２の回転方向に回転する
ことを特徴とする請求項５記載の画像形成装置の２次転写ローラ清掃方法。
【発明の詳細な説明】
【技術分野】
【０００１】
本発明は、コピー機、プリンタなどの画像形成装置に係り、特に画像形成部の従動ローラに当接して設けられる２次転写ローラの清掃性能を向上させた画像形成装置及び画像形成装置の２次転写ローラ清掃方法に関する。
【背景技術】
【０００２】
画像形成装置は、転写ベルトなどの像坦持体と記録媒体とを圧接して像を転写するために２次転写ローラを備えている。
【０００３】
この２次転写ローラは、記録媒体が所定のタイミングにて搬送されてきた場合、トナーが付着することはない。しかし、記録媒体のジャムが発生した場合など、記録媒体が所定のタイミングにて搬送されてこないと、像坦持体が坦持するトナーが付着してしまう。この場合、次に用紙が搬送されて来るとその裏面にトナーが付着して汚損が生じる。
【０００４】
この汚損を防止するために、２次転写ローラに清掃部材を備える画像形成装置が提案されている（例えば、特許文献１）。
【特許文献１】特開２００４−９４０５５号公報
【発明の開示】
【発明が解決しようとする課題】
【０００５】
しかし、清掃部材の配置によっては紙粉などの汚損物が清掃部材の２次転写ローラ接触部に蓄積し、クリーニング不良が発生するという問題点があった。
【０００６】
本発明は上記のような問題点に鑑みてなされたものであり、２次転写ローラの清掃性能を向上させた画像形成装置及び画像形成装置の２次転写ローラ清掃方法を提供することを目的とする。
【課題を解決するための手段】
【０００７】
この目的を達成するために本発明は、記録媒体を１枚ずつ供給する記録媒体供給機構と、記録媒体供給機構により供給された記録媒体を記録媒体排出部まで搬送する記録媒体搬送機構と、記録媒体搬送機構の記録媒体排出部より上流側に配置され、画像データに基づく画像を記録媒体搬送機構によって搬送される記録媒体に印刷する画像形成プロセスを実行する画像形成部と、画像形成部の従動ローラに当接して設けられ、印字動作中は第１の回転方向に回転し、印字動作停止中に第１の回転方向とは逆向きの第２の回転方向に所定範囲内だけ回転する２次転写ローラと、２次転写ローラの表面に潤滑剤を供給する潤滑剤供給部と、２次転写ローラの表面に接触する板状の清掃部材と、を備えることを特徴とする画像形成装置を提供する。
【発明の効果】
【０００８】
本発明によれば、清掃部材１４が、清掃部材１４と２次転写ローラ１１との接触部に溜った汚損物を重力を利用して除去できないようなレイアウトにおいても、効率よく汚損物を除去できるという効果がある。
【発明を実施するための最良の形態】
【０００９】
以下、本発明による２次転写ローラの清掃性能を向上させた画像形成装置（以下、画像形成装置と呼ぶ。）の一実施の形態を、図面を用いて詳細に説明する。
【００１０】
（画像形成装置の概要）
図４は画像形成装置の構成例を示した図である。図４に示すように、装置本体６０１の上部には例えばガラス板のような透明な材質によって形成される原稿載置用の原稿台６０２が設けられる。また、この原稿台６０２を覆うようにカバー６０３が装置本体６０１に開閉自在に設置される。
【００１１】
装置本体６０１内部の原稿台６０２の下面側には、原稿台６０２に載置された原稿の画像を光学的に読取るスキャンユニット（図示せず）が設けられる。例えばこのスキャンユニットは、キャリッジ６０４と、原稿に反射した露光ランプ６０５の光を反射する反射ミラー６０６，６０７，６０８と、この反射された光を変倍する変倍用レンズブロック６０９と、ＣＣＤ（Ｃｈａｒｇｅ  Ｃｏｕｐｌｅｄ  Ｄｅｖｉｃｅ）６１０とを有する。キャリッジ６０４は原稿台６０２に向けて光を照射する露光ランプ６０５を備え、原稿台６０２の下面に沿って往復動可能に構成される。
【００１２】
キャリッジ６０４は、露光ランプ６０５を点灯させながら往動することにより、原稿台６０２に載置された原稿に露光する。この露光による原稿台６０２に載置されている原稿の反射光像は、反射ミラー６０６，６０７，６０８および変倍用レンズブロック６０９を経由してＣＣＤ６１０に投影される。ＣＣＤ６１０は投影された原稿の反射光像に対応する画像データを出力する。
【００１３】
装置本体６０１内部のスキャンユニットの下方には画像形成部２２０が設けられる。画像形成部２２０は、例えばプリントエンジン（図示せず）とプロセスユニット（図示せず）を備える。
【００１４】
プリントエンジンは露光ユニット６１１を含む。プロセスユニットは、露光ユニット６１１に沿って配置される感光体ドラム６２１，６２２，６２３，６２４と、感光体ドラム６２１，６２２，６２３，６２４を挟んで露光ユニット６１１と対向して配置される無端状の転写ベルト１２と、転写ベルト１２を駆動するドライブローラ６２６と、転写ベルト１２を挟んで感光体ドラム６２１，６２２，６２３，６２４と対向して配置される１次転写ローラ６４１，６４２，６４３，６４４と、１次転写ローラ６４１，６４２，６４３，６４４を駆動させる転写ローラ駆動ユニットを含む。
【００１５】
転写ベルト１２は、ドライブローラ６２６、ガイドローラ６２７，６２８，６２９、及び従動ローラ１０に掛け渡され、ドライブローラ６２６から動力を受けて反時計方向に回転走行する。ガイドローラ６２７は上下動自在に設けられており、カム６３１の回動を受けて転写ベルト１２側に移動する。これにより、ガイドローラ６２７は転写ベルト１２を感光体ドラム６２１，６２２，６２３，６２４側に変位させる。
【００１６】
この画像形成部２２０は、画像データ（ＣＣＤ６１０から出力された画像信号）に基づく画像を形成し、その画像を搬送途中の記録媒体に印刷する画像形成プロセスを実行する。すなわち、ＣＣＤ６１０から出力された画像信号は適宜に処理された後、露光ユニット６１１に供給される。露光ユニット６１１はイエローカラーの画像信号に応じたレーザビームＢ１をイエローカラー用の感光体ドラム６２１に、マゼンタカラーの画像信号に応じたレーザビームＢ２をマゼンタカラー用の感光体ドラム６２２に、シアンカラーの画像信号に応じたレーザビームＢ３をシアンカラー用の感光体ドラム６２３に、ブラックカラーの画像信号に応じたレーザビームＢ４をブラックカラー用の感光体ドラム６２４に向けてそれぞれ発する。
【００１７】
１次転写ローラ６４１，６４２，６４３，６４４は、転写ベルト１２側へ移動（下降）されることにより、その転写ベルト１２を感光体ドラム６２１，６２２，６２３，６２４に接触させて、感光体ドラム６２１，６２２，６２３，６２４上の可視像を転写ベルト１２に転写させる。
【００１８】
感光体ドラム６２１の周囲には、図示しないドラムクリーナ，除電ランプ，帯電ユニット，現像ユニットが順次に配設されている。ドラムクリーナは感光体ドラム６２１の表面に接するドラムクリーニングブレードを有し、感光体ドラム６２１の表面に残留している現像材をドラムクリーニングブレードによって掻き落とす。
【００１９】
除電ランプは感光体ドラム６２１の表面に残留している電荷を除去する。帯電ユニットは高電圧を感光体ドラム６２１に印加することにより、感光体ドラム６２１の表面に静電荷を帯電させる。この帯電が済んだ感光体ドラム６２１の表面に、露光ユニット６１１から発せられるレーザビームＢ１が照射される。この照射により、感光体ドラム６２１の表面に静電潜像が形成される。現像ユニットは、感光体ドラム６２１の表面にイエローカラーの現像材（トナー）を供給することにより、感光体ドラム６２１の表面の静電潜像を可視像化する。
【００２０】
他の感光体ドラム６２２，６２３，６２４も同様に、それぞれ対応した色の現像材を用いて各感光体ドラム６２２，６２３，６２４の表面の静電潜像を可視像化する。
【００２１】
画像形成部２２０のドライブローラ６２６と対向する位置には、転写ベルト１２を挟んでクリーナ６３６が設けられている。このクリーナ６３６は転写ベルト１２に接するクリーニングブレード６３６ａを有し、転写ベルト１２に残留している現像材をクリーニングブレード６３６ａによって掻き落とす。
【００２２】
印刷モードの変更は次のように行なう。１次転写ローラ６４１，６４２，６４３，６４４の近傍には、フック６７１，６７２，６７３，６７４が設けられている。このフック６７１，６７２，６７３，６７４は、回動しながら１次転写ローラ６４１，６４２，６４３，６４４の軸に係合してその軸を持ち上げ、１次転写ローラ６４１，６４２，６４３，６４４を感光体ドラム６２１，６２２，６２３，６２４から引き離す方向に移動させる。１次転写ローラ６４１，６４２，６４３，６４４をいずれも移動させないか、又は移動させるものの組み合わせを変えることによりフルカラーモード、全離間モード、モノクロモードなどの印刷モードの変更を行なう。
【００２３】
次に、記録媒体の収納機構と供給機構について説明する。露光ユニット６１１の下方には記録媒体を収納する複数の記録媒体カセット６５０が設けられている。これら記録媒体カセット６５０には互いに異なる記録媒体種の多数枚の記録媒体Ｐが積層状態で収容されている。これら記録媒体カセット６５０の出口部分（図示右側）には記録媒体カセット６５０内の記録媒体を上部から１枚ずつ記録媒体を供給する記録媒体供給機構２２１がそれぞれ設けられている。そして、この記録媒体供給機構２２１により、いずれか１つの記録媒体カセット６５０から記録媒体Ｐが１枚ずつ取り出される。この取り出し用の記録媒体供給機構２２１はピックアップローラ６５１と、記録媒体供給ローラ６５２ａと、分離ローラ６５２ｂとを含み、記録媒体カセット６５０から取り出された記録媒体Ｐを１枚ずつ分離して記録媒体搬送機構６５３に供給する。
【００２４】
次に、記録媒体の搬送経路について説明する。記録媒体搬送機構６５３は前記画像形成部２２０の従動ローラ１０を経由して上方の記録媒体排出口６５４まで延びている。記録媒体排出口６５４は装置本体６０１の外周面に連なる記録媒体排出部６５５に臨んでいる。また、搬送路６５３の始端側には、各記録媒体供給機構２２１の近傍にそれぞれ搬送ローラ６５６が設けられている。この記録媒体搬送機構６５３はいずれかの記録媒体供給機構２２１により記録媒体が供給されると、供給された記録媒体を上記記録媒体排出部６５５まで搬送する。
【００２５】
また、２次転写ローラ１１が記録媒体搬送機構６５３の途中の従動ローラ１０と転写ベルト１２を挟んで対向する位置に設けられている。これら従動ローラ１０および２次転写ローラ１１の搬送方向手前位置にレジストローラ６５８が設けられている。
【００２６】
レジストローラ６５８は、転写ベルト１２と２次転写ローラ１１とによる、現像材（トナー）によって形成された画像の記録媒体への転写を行なう動作である転写動作と同期したタイミングにより、記録媒体Ｐを転写ベルト１２と２次転写ローラ１１の間に送り込む。２次転写ローラ１１は、レジストローラ６５８から送り込まれた記録媒体Ｐを従動ローラ１０上の転写ベルト１２と挟み込みながら、転写ベルト１２に転写されている現像材（トナー）によって形成された可視画像をこの記録媒体Ｐに転写させ、印刷する。このように、レジストローラ６５８は、転写ベルト１２及び２次転写ローラ１１を有する画像形成部２２０に対し、画像形成部２２０の転写動作と同期して記録媒体Ｐを搬送する。
【００２７】
記録媒体搬送機構６５３の２次転写ローラ１１より下流側の位置に、熱定着用のヒートローラ６５９と、このヒートローラ６５９に接する圧接ローラ６６０とが設けられる。このヒートローラ６５９と圧接ローラ６６０によって記録媒体Ｐに転写された画像を定着させる。なお、記録媒体搬送機構６５３の終端には記録媒体排出ローラ６６１が設けられている。
【００２８】
装置本体６０１には自動両面ユニット（以下、ＡＤＵと呼ぶ）２２２が設けられてもよい。ＡＤＵ２２２は記録媒体搬送機構６５３の終端とレジストローラ６５８への入り口に、ＡＤＵ２２２内の記録媒体Ｐを搬送する経路である副搬送路６６２を連結するように設置する。副搬送路６６２は記録媒体搬送機構６５３の画像形成部２２０に対する下流側（記録媒体搬送機構６５３の終端）から分岐し、この記録媒体搬送機構６５３の画像形成部２２０に対する上流側（レジストローラ６５８の上流側位置）に合流する。
【００２９】
この副搬送路６６２は両面印刷のために記録媒体Ｐの表裏を反転させる。副搬送路６６２には記録媒体供給ローラ６６３，６６４，６６５が設けられており、ＡＤＵ２２２は画像形成部２２０から記録媒体排出部６５５に搬送される記録媒体Ｐを逆送させ、副搬送路６６２を搬送して画像形成部２２０の上流側において記録媒体搬送機構６５３に合流させる。このように搬送すると、記録媒体Ｐの表裏は反転する。
【００３０】
副搬送路６６２により画像形成部２２０の上流側に戻された記録媒体Ｐは、記録媒体搬送機構６５３に合流した後、レジストローラ６５８により画像形成部２２０の転写動作に同期をとって、転写ベルト１２と２次転写ローラ１１が接する転写位置に送り込まれる。このように、記録媒体Ｐの裏面に対しても転写ベルト１２上の可視像が転写され、印刷される。
【００３１】
このＡＤＵ２２２の副搬送路６６２は装置本体６０１に設けられた操作パネル７２４やネットワークを経由して装置本体６０１に接続しているコンピュータなどにより両面印刷が指定されると、上述した記録媒体Ｐの表裏を反転させる作動を行なう状態となる。
【００３２】
次に、付加的に設けられる装置について説明する。図４に図示した装置本体６０１の例においては記録媒体の供給源として２つの記録媒体カセット６５０が設けられている。記録媒体カセット６５０は装置本体６０１に３つ以上設けてもよい。この他に、図示しないが手差しの記録媒体供給機構（以下、ＳＦＢと呼ぶ）や、数千枚の記録媒体を積層して収納することができる記録媒体供給機構である大容量給記録媒体フィーダ（以下、ＬＣＦと呼ぶ）を設けることもできる。これらＳＦＢやＬＣＦは、その記録媒体を供給する経路が記録媒体搬送機構６５３に合流するように装置本体６０１に設置される。
【００３３】
装置本体６０１には記録媒体種センサ２２３が設けられていてもよい。記録媒体種センサ２２３は、記録媒体搬送機構６５３の画像形成部２２０に対する上流側であり、レジストローラ６５８より上流側の位置に配置され、この記録媒体搬送機構６５３により搬送される記録媒体Ｐの記録媒体種を検出する。この記録媒体種センサ２２３には、例えば記録媒体Ｐの厚さや光透過率を検知することにより記録媒体Ｐの種類を判定する公知のセンサを用いることができる。
【００３４】
記録媒体種センサ２２３は、ＳＦＢ又はＬＣＦを設置する場合には、ＳＦＢ及びＬＣＦからの記録媒体供給経路と記録媒体搬送機構６５３との合流地点より下流側に配置する。このように配置することにより、１個の記録媒体種センサ２２３により全ての記録媒体の供給源から記録媒体搬送機構６５３上を搬送される記録媒体Ｐの種種を検出することができる。
【００３５】
（２次転写ローラのクリーニング）
（構成の説明）
図１は、２次転写ローラ付近を模式的に表した側面図である。図１に示すように、画像形成装置は２次転写ローラ１１の表面に潤滑剤を供給する潤滑剤供給部１３と、２次転写ローラ１１の表面に接触する板状の清掃部材１４を備える。
【００３６】
潤滑剤供給部１３は、例えば金属石鹸のような潤滑剤のスティックから所定量をブラシで掻き取り、２次転写ローラ１１に供給する。金属石鹸はステアリン酸亜鉛が、価格の点から望ましい。この潤滑剤は２次転写ローラ１１と清掃部材１４との摩擦力を所定値の範囲内に収める働きをする。これにより、清掃部材１４はめくれたり滑ったりせずに２次転写ローラ１１に付着した現像剤を掻き落とすことが可能となる。
【００３７】
潤滑剤供給部１３は、２次転写ローラ１１の第１の回転方向Ａｒ１に、清掃部材１４の２次転写ローラ１１との接触部、潤滑材供給部１３、従動ローラ１０と２次転写ローラ１１との当接部の順になるように配置されている。
【００３８】
このように配置したため、潤滑剤の上に現像剤が付着し、現像剤をより掻き取りやすくなるという効果がある。
【００３９】
２次転写ローラ１１は、印字動作中は矢印Ａｒ１により示す第１の回転方向に回転し、印字動作停止中に矢印Ａｒ２により示す第１の回転方向とは逆向きの第２の回転方向に所定範囲内だけ回転する。
【００４０】
例えば、第１の回転方向が時計回りのとき、第２の回転方向は反時計回りである。
【００４１】
すなわち、２次転写ローラ１１は、２次転写ローラ１１と清掃部材１４の接触面の移動量が３ｍｍ以上、２次転写ローラ１１の潤滑剤供給部１３との接触部から第２の回転方向Ａｒ２に清掃部材１４との接触部までの接触面上の距離Ｌ以下の範囲内で第２の回転方向Ａｒ２に回転する。図１において、距離Ｌは太線によって示されている。
【００４２】
紙粉などの汚損物を清掃部材１４の先端から除去するには少なくとも３ｍｍの移動距離が必要である。また、距離Ｌ以上に２次転写ローラ１１が第２の回転方向Ａｒ２に回転すると、２度塗りされた潤滑剤が清掃部材１４に達し、潤滑剤の供給過剰となる。この場合、摩擦力が低下しすぎ、清掃部材１４は現像剤を掻き取ることができず、クリーニング不良が生じる。
【００４３】
なお、２次転写ローラ１１と清掃部材１４の材質によっては摩擦力が適切な範囲内に確保されるため、画像形成装置は潤滑剤供給部１３を備えないことも可能である。
【００４４】
この場合２次転写ローラ１１は、２次転写ローラ１１と清掃部材１４の接触面の移動量が３ｍｍ以上、１回転以下の範囲内で第２の回転方向Ａｒ２に回転する。１回転を超えて第２の回転方向Ａｒ２に回転すると時間がかかりすぎ、印字動作の開始が遅れる。
【００４５】
２次転写ローラ１１の硬度は、ＪＩＳＡ硬度２８°以上ＪＩＳＡ硬度４０°以下であることが望ましい。これ以上柔かいと清掃部材１４との間に震動が生じ、清掃部材１４が現像剤を十分に掻き取れず、クリーニング不良が生じる。これ以上硬いと従動ローラ１０との間にニップ部が形成されず、転写不良が生じる。
【００４６】
清掃部材１４の硬度はＪＩＳＡ硬度６５°以上ＪＩＳＡ硬度８０°以下が望ましい。これ以上柔かいと清掃部材１４はめくれを引き起こす。これ以上硬いと従動ローラ１１が損傷する。
【００４７】
図２は、２次転写ローラ１１と清掃部材１４の位置関係を示した側面図である。図２に示すように、第１の回転方向Ａｒ１が時計回りであるとき、２次転写ローラ１１の回転軸Ｏを通る重力方向の鉛直線Ｖと回転軸Ｏにおいて垂直に交わる水平線Ｈとにより区画される第1象限乃至第４象限の４つの象限を想定する。このとき清掃部材１４は、鉛直線Vの右側部分２０、すなわち第１象限と第４象限で前記２次転写ローラ１１と接する。
【００４８】
なお、第１の回転方向Ａｒ１と第２の回転方向Ａｒ２がそれぞれ逆向きの場合は、清掃部材１４は、鉛直線Vの左側部分、すなわち第２象限と第３象限で前記２次転写ローラ１１と接する。
【００４９】
また、清掃部材１４は第２の回転方向Ａｒ２において手前側の２次転写ローラ１１の表面と鋭角θをなして接触する。
【００５０】
このように清掃部材１４が２次転写ローラ１１に対して配置される場合、２次転写ローラ１１が第１の回転方向Ａｒ１に回転すると紙粉などの汚損物が清掃部材１４の２次転写ローラ１１との接触点に溜りやすくなる。すなわち、レイアウト等の制約からこのような配置が採用された場合、重力を利用することによって汚損物を清掃部材１４から落下させることが困難となる。
【００５１】
本実施形態の画像形成装置は、このような配置を採用した場合であっても、清掃部材１４に溜った汚損物を、２次転写ローラ１１を第２の回転方向Ａｒ２に回転させることにより除去することが可能となる。
【００５２】
（動作の説明）
図３は、２次転写ローラ１１の動作のタイミングチャートである。チャート３０は印字動作を示し、チャート３１は２次転写ローラ１１の動作を示す。
【００５３】
図３に示すように、２次転写ローラ１１は印字動作中においては第１の回転方向Ａｒ１に回転し、印字動作停止中に転写ベルト１２から離間して第１の回転方向Ａｒ１とは逆向きの第２の回転方向Ａｒ２に所定範囲内だけ回転する。
【００５４】
現像剤は熱、圧力によって固化しやすい。よって２次転写ローラ１１から現像剤を掻き取った直後に、２次転写ローラ１１は転写ベルト１２から離間して第２の回転方向Ａｒ２に回転して溜まった現像剤と汚損物を除去することが望ましい。
【００５５】
このため、２次転写ローラ１１は、印字動作中は第１の回転方向Ａｒ１に回転し、印字動作終了後に第２の回転方向Ａｒ２に回転することが望ましい。
【００５６】
以上説明したように、本実施形態の画像形成装置は、２次転写ローラ１１が印字動作中は第１の回転方向Ａｒ１に回転し、印字動作停止中に第１の回転方向Ａｒ１とは逆向きの第２の回転方向Ａｒ２に所定範囲内だけ回転する。このため、清掃部材１４が、清掃部材１４と２次転写ローラ１１との接触部に溜った汚損物を重力を利用して除去できないようなレイアウトにおいても、効率よく汚損物を除去できるという効果がある。
【図面の簡単な説明】
【００５７】
【図１】２次転写ローラ付近を模式的に表した側面図である。
【図２】２次転写ローラ１１と清掃部材１４の位置関係を示した図である。
【図３】２次転写ローラ１１の動作のタイミングチャートである。
【図４】画像形成装置の構成例を示した図である。
【符号の説明】
【００５８】
１０：従動ローラ、
１１：２次転写ローラ、
１２：転写ベルト、
１３：潤滑剤供給部、
１４：清掃部材。
【図１】
2009069825.tif 000003
【図２】
2009069825.tif 000004
【図３】
2009069825.tif 000005
【図４】
2009069825.tif 000006